(57)【要約】【課題】アナログ放送の停波後はアナログ放送に関わる機能を無効化し、アナログ放送の停波までは確実にアナログ放送に関わる機能を使うことができるデジタル／アナログ放送録画再生装置を提供することである。【解決手段】ＤＶＤ一体型テレビ１０は、アナログ放送とデジタル放送の両方を受信するチューナ１２と、受信した放送をＤＶＤに録画し再生するＤＶＤ録画再生部１６とを備え、第１の所定時間間隔でアナログ放送のチャンネルスキャンを行い、アナログ放送が見つからない場合、アナログ放送に関わる機能を無効化し、アナログ放送に関わる機能を無効化した後、第２の所定時間間隔でアナログ放送のチャンネルスキャンを行い、アナログ放送が見つかった場合、アナログ放送に関わる機能を有効化し、一方、所定期間アナログ放送が見つからない場合、アナログ放送のチャンネルスキャンを停止する構成とする。【選択図】図１
2008078705.tif 000002
【特許請求の範囲】
【請求項１】
アナログ放送とデジタル放送の両方を受信するチューナと、受信した放送をＤＶＤに録画し再生するＤＶＤ録画再生部とを備えたデジタル／アナログ放送録画再生装置において、
第１の所定時間間隔でアナログ放送のチャンネルスキャンを行い、アナログ放送が見つからない場合、アナログ放送チャンネルの受信機能及びアナログ放送チャンネルの録画機能を無効化し、選局時にアナログ放送チャンネルをスキップさせ、
前記アナログ放送チャンネルの受信機能及びアナログ放送チャンネルの録画機能を無効化した後、第２の所定時間間隔でアナログ放送のチャンネルスキャンを行い、アナログ放送が見つかった場合、アナログ放送チャンネルの受信機能及びアナログ放送チャンネルの録画機能を有効化し、選局時にアナログ放送チャンネルを選局させ、一方、所定期間アナログ放送が見つからない場合、アナログ放送のチャンネルスキャンを停止することを特徴とするデジタル／アナログ放送録画再生装置。
【請求項２】
アナログ放送とデジタル放送の両方を受信できるデジタル／アナログ放送受信装置において、
第１の所定時間間隔でアナログ放送のチャンネルスキャンを行い、アナログ放送が見つからない場合、アナログ放送に関わる機能を無効化し、
前記アナログ放送に関わる機能を無効化した後、第２の所定時間間隔でアナログ放送のチャンネルスキャンを行い、アナログ放送が見つかった場合、アナログ放送に関わる機能を有効化することを特徴とするデジタル／アナログ放送受信装置。
【請求項３】
前記アナログ放送に関わる機能を無効化した後、前記第２の所定時間間隔でアナログ放送のチャンネルスキャンを行い、所定期間アナログ放送が見つからない場合、アナログ放送のチャンネルスキャンを停止することを特徴とする請求項２記載のデジタル／アナログ放送受信装置。
【請求項４】
前記アナログ放送に関わる機能はアナログ放送チャンネルの受信機能であり、該機能を無効化した場合、選局時にアナログ放送チャンネルをスキップさせることを特徴とする請求項２又は３記載のデジタル／アナログ放送受信装置。
【請求項５】
請求項２〜４の何れかに記載のデジタル／アナログ放送受信装置と、該デジタル／アナログ放送受信装置で受信した放送を記録媒体に録画し再生する録画再生部とを備えたデジタル／アナログ放送録画再生装置。
【請求項６】
前記アナログ放送に関わる機能はアナログ放送チャンネルの録画機能であることを特徴とする請求項５記載のデジタル／アナログ放送録画再生装置。
【発明の詳細な説明】
【技術分野】
【０００１】
本発明は、アナログ放送とデジタル放送の両方を受信できるデジタル／アナログ放送受信装置及びデジタル／アナログ放送録画再生装置に関する。
【背景技術】
【０００２】
現在、日本や米国をはじめ世界的に地上アナログ放送から地上デジタル放送への過渡期にあり、地上アナログ放送終了（停波）まではアナログ放送とデジタル放送とが混在した状態が続くことになる。そのため、現在販売されている放送受信装置は、アナログ放送とデジタル放送の両方を受信できるものが主流となっている。
【０００３】
しかし、アナログ放送とデジタル放送の両方を受信できるデジタル／アナログ放送受信装置又はデジタル／アナログ放送録画再生装置を使用し続けた場合に、時期が来たときにアナログ放送は停波する。このとき受信装置側で適切に対応できるようにする種々の技術が提案されている。
【０００４】
例えば特許文献１には、ユーザによる所定の切り替え操作によって、アナログ放送受信処理部の電源供給を停止するとともに、アナログ放送に関わる機能を無効化する放送受信装置および放送録画再生装置が開示されている。
【０００５】
また特許文献２には、定期的にチャンネルスキャンすることでアナログ放送の廃止を検出することが開示されている。
【特許文献１】特開２００６−１０８９７４号公報
【特許文献２】特開２００６−５７８５号公報
【発明の開示】
【発明が解決しようとする課題】
【０００６】
上記の特許文献１や特許文献２によると、時期が来てアナログ放送が停波したときに、アナログ放送に関わる機能を無効化することができる。しかしながら、特許文献２によれば、チャンネルスキャンしたときに、アナログ放送の停波時期ではなく放送事故等の理由で偶然アナログ放送が受信できなかった場合でも、アナログ放送が停波したと判断してしまうおそれがある。これでは本来の目的を達成することができない。
【０００７】
本発明は、アナログ放送の停波後はアナログ放送に関わる機能を無効化し、アナログ放送の停波までは確実にアナログ放送に関わる機能を使うことができるデジタル／アナログ放送受信装置及びデジタル／アナログ放送録画再生装置を提供することを目的とする。
【課題を解決するための手段】
【０００８】
上記目的を達成するために本発明は、アナログ放送とデジタル放送の両方を受信できるデジタル／アナログ放送受信装置において、
第１の所定時間間隔でアナログ放送のチャンネルスキャンを行い、アナログ放送が見つからない場合、アナログ放送に関わる機能を無効化し、
前記アナログ放送に関わる機能を無効化した後、第２の所定時間間隔でアナログ放送のチャンネルスキャンを行い、アナログ放送が見つかった場合、アナログ放送に関わる機能を有効化することを特徴とする。
【０００９】
上記のデジタル／アナログ放送受信装置において、前記アナログ放送に関わる機能を無効化した後、前記第２の所定時間間隔でアナログ放送のチャンネルスキャンを行い、所定期間アナログ放送が見つからない場合は、アナログ放送のチャンネルスキャンを停止することが望ましい。
【００１０】
また上記のデジタル／アナログ放送受信装置において、前記アナログ放送に関わる機能はアナログ放送チャンネルの受信機能であり、該機能を無効化した場合、選局時にアナログ放送チャンネルをスキップさせることが望ましい。
【００１１】
また本発明は、上記のデジタル／アナログ放送受信装置と、該デジタル／アナログ放送受信装置で受信した放送を記録媒体に録画し再生する録画再生部とを備えたデジタル／アナログ放送録画再生装置を提供する。
【００１２】
上記のデジタル／アナログ放送録画再生装置において、前記アナログ放送に関わる機能は、例えば、アナログ放送チャンネルの録画機能とすることができる。
【００１３】
本発明を具体化すると、アナログ放送とデジタル放送の両方を受信するチューナと、受信した放送をＤＶＤに録画し再生するＤＶＤ録画再生部とを備えたデジタル／アナログ放送録画再生装置において、
第１の所定時間間隔でアナログ放送のチャンネルスキャンを行い、アナログ放送が見つからない場合、アナログ放送チャンネルの受信機能及びアナログ放送チャンネルの録画機能を無効化し、選局時にアナログ放送チャンネルをスキップさせ、
前記アナログ放送チャンネルの受信機能及びアナログ放送チャンネルの録画機能を無効化した後、第２の所定時間間隔でアナログ放送のチャンネルスキャンを行い、アナログ放送が見つかった場合、アナログ放送チャンネルの受信機能及びアナログ放送チャンネルの録画機能を有効化し、選局時にアナログ放送チャンネルを選局させ、一方、所定期間アナログ放送が見つからない場合、アナログ放送のチャンネルスキャンを停止する構成となる。
【発明の効果】
【００１４】
本発明によれば、放送事故等の理由で偶然アナログ放送が受信できずにアナログ放送に関わる機能を無効化した場合でも、間違ってアナログ放送の停波であると判断することなく、アナログ放送の復帰時にはアナログ放送に関わる機能を有効化して受信する。したがって、アナログ放送の停波後はアナログ放送に関わる機能を無効化し、アナログ放送の停波までは確実にアナログ放送に関わる機能を使うことができる。
【発明を実施するための最良の形態】
【００１５】
以下、北米で採用されているＡＴＳＣ（Advanced Television Systems Committee）デジタル放送とＮＴＳＣ（National Television Standards Committee）アナログ放送を用いて説明するが、本発明は他の方式にも同様に適用することができる。
【００１６】
本実施形態では、デジタル／アナログ放送受信装置及びデジタル／アナログ放送録画再生装置の一例としてＤＶＤ一体型テレビを例に説明するが、本発明は、テレビ受像機などの放送受信装置やＤＶＤ装置などの放送録画再生装置にもそれぞれ適用することができる。
【００１７】
図１は、ＤＶＤ一体型テレビ１０の構成を示すブロック図である。ＤＶＤ一体型テレビ１０には、放送局から所定周波数の高周波電波で発信されるテレビ放送信号を受信するためのアンテナ３０が接続されている。そして、ＤＶＤ一体型テレビ１０はリモコン４０より指示を受ける。リモコン４０は、視聴するテレビ番組のチャンネル選局、テレビ番組の視聴予約及び録画予約などの各種操作を行うものであり、ユーザにより操作される。リモコン４０は、これら操作を可能とする各種ボタン（不図示）を備えており、各種ボタンを操作すると、その操作に応じた赤外線信号等の無線信号を送出する。
【００１８】
ＤＶＤ一体型テレビ１０は、放送局から発信されるＡＴＳＣ放送信号やＮＴＳＣ放送信号をアンテナ３０を介して受信し、これらの放送信号により配信されるテレビ番組をモニタに映し出すテレビ受像機と、これらの放送信号により配信されるテレビ番組を録画するＤＶＤ装置とが一体となったものである。なお、録画する装置としてＨＤＤ装置やビデオ装置などを用いることもできる。
【００１９】
ＤＶＤ一体型テレビ１０は、リモコン受信部１１と、チューナ１２と、ＮＴＳＣデコーダ１３と、ＭＰＥＧエンコーダ１４と、ＡＴＳＣフロントエンド１５と、ＤＶＤ録画再生部１６と、ＭＰＥＧデコーダバックエンド１７と、ＯＳＤ回路１８と、モニタ１９と、メモリ２０と、時計２１と、制御部２２とから構成されている。
【００２０】
リモコン受信部１１は、リモコン４０から送出された信号を受信し、リモコン４０での操作に対応する信号を制御部２２へ出力する。チューナ１２は、その受信周波数をリモコン４０で選局操作されたチャンネルに対応する周波数に同調させることにより、選局操作されたチャンネルのテレビ放送信号をアンテナ３０を介して受信する。
【００２１】
ＮＴＳＣデコーダ１３は、リモコン４０によりＮＴＳＣ放送のチャンネルが選局された場合、チューナ１２で受信したＮＴＳＣ放送信号をテレビ番組の映像信号と音声信号に復調し、その映像信号と音声信号とをＭＰＥＧエンコーダ１４へ出力する。ＭＰＥＧエンコーダ１４は、ＮＴＳＣデコーダ１３から出力された映像信号と音声信号とをＭＰＥＧ規格でデジタル圧縮符号化し、ＭＰＥＧデコーダバックエンド１７へ出力する。
【００２２】
ＡＴＳＣフロントエンド１５は、リモコン４０によりＡＴＳＣ放送のチャンネルが選局された場合、チューナ１２で受信した８ＶＳＢ方式で変調されたＡＴＳＣ信号を、ＭＰＥＧ規格でデジタル圧縮符号化された複数のテレビ番組の映像と音声、及び電子番組情報等の信号が時分割多重化された状態のＴＳ（Transport Stream）信号に復調する。そして、ＡＴＳＣフロントエンド１５は、このＴＳ信号からリモコン４０で選局されたチャンネルのテレビ番組の映像信号と音声信号を分離抽出してＭＰＥＧデコーダバックエンド１７へ出力するとともに、電子番組情報を抽出して制御部２２へ出力する。
【００２３】
ＤＶＤ録画再生部１６は、制御部２２による制御のもと、ＭＰＥＧエンコーダ１４及びＡＴＳＣフロントエンド１５から出力される映像信号と音声信号をＤＶＤに記録し、また、ＤＶＤに記録された映像信号と音声信号を再生してＭＰＥＧデコーダバックエンド１７へ出力する。なお、録画再生部としてはＨＤＤ録画再生部やビデオ録画再生部を採用することもできる。また、複数の録画再生部を設けてもよい。
【００２４】
ＭＰＥＧデコーダバックエンド１７には、ＭＰＥＧエンコーダ１４、ＡＴＳＣフロントエンド１５、及びＤＶＤ録画再生部１６から出力されるＭＰＥＧ規格によりデジタル圧縮符号化された映像信号と音声信号が入力される。ＭＰＥＧデコーダバックエンド１７は、これらの映像信号と音声信号をデジタル圧縮符号化される前の信号に復号することで、モニタ１９に映像を映し出すとともに音声を出力するための信号を生成する。ＭＰＥＧデコーダバックエンド１７から出力された映像信号は、ＯＳＤ回路１８を介してモニタ１９へ出力される。
【００２５】
ＯＳＤ回路１８は、ＭＰＥＧデコーダバックエンド１７から出力される映像信号にチャンネル番号やＥＰＧ画面等の所定のオンスクリーン表示データを重畳する。これにより、モニタ１９には、テレビ番組の映像にオンスクリーン表示データによる画像が重ねて表示される。
【００２６】
メモリ２０は、予約データや、各チャンネルのテレビ放送信号の周波数データや、各種オンスクリーン表示データを記憶している。時計２１は、日時を計測し、その信号を制御部２２へ出力する。
【００２７】
制御部２２は、リモコン４０によりＮＴＳＣ放送のチャンネルが選局された場合には、チューナ１２対して選局されたチャンネルのＮＴＳＣ放送信号を受信させるとともに、ＮＴＳＣデコーダ１３に対して映像信号と音声信号を復調再生させる。また、リモコン４０によりＡＴＳＣ放送のチャンネルが選局された場合には、チューナ１２に対して選局されたチャンネルのＡＴＳＣ放送信号を受信させ、ＡＴＳＣフロントエンド１５に対して選局されたチャンネルの映像信号と音声信号を分離抽出させる。
【００２８】
また、制御部２２は、リモコン４０により番組の視聴予約又は録画予約操作が行われると、番組の視聴予約又は録画予約を行い、その番組予約のデータをメモリ２０に記憶させる。
【００２９】
このＤＶＤ一体型テレビ１０を設置したときに、ＮＴＳＣ放送とＡＴＳＣ放送の両方が受信できる状態にあると、リモコン４０のアップダウンキー（不図示）を操作することにより、ＮＴＳＣ放送のチャンネルが順に切り替わり、続いてＡＴＳＣ放送のチャンネルが順に切り替わる。また、ＤＶＤに予約録画する場合も予約録画モードにおいてアップダウンキーを操作すれば、ＮＴＳＣ放送のチャンネルが順に切り替わり、続いてＡＴＳＣ放送のチャンネルが順に切り替わるので、所望のチャンネルの録画を予約することができる。
【００３０】
次に、ＮＴＳＣ放送（アナログ放送）の停波時に適切に対応するための動作について説明する。図２は、ＮＴＳＣ放送の停波に対応するためのＤＶＤ一体型テレビ１０の動作を示すフローチャートである。
【００３１】
ＮＴＳＣ放送（アナログ放送）の停波時期に至っていない場合に、まず、ステップＳ１０においてＮＴＳＣ放送のチャンネルスキャンを行う。このチャンネルスキャンは、スタンバイ状態やＤＶＤ再生時などチューナ１２を使用していないときに実行でき、録画予約されている時刻やオートクロックの処理を行う時刻など放送信号を受信する時刻と重なる場合は、その時刻の前後にずらして実行する。なお、チューナを２つ以上備えている場合は、いつでもチャンネルスキャンを行うことができる。
【００３２】
チャンネルスキャンを実行すると、ステップＳ１１へ進んでＮＴＳＣ放送が見つかったか否かを判定する。この判定は従来のチャンネルスキャン方法に基づいて行えばよい。そして、ステップＳ１１においてＮＴＳＣ放送が見つかった場合は、ステップＳ１２へ進み、見つからなかった場合はステップＳ１３へ進む。
【００３３】
ステップＳ１２では、所定時間（第１の所定時間）経過したか否かを判定する。ステップＳ１２において所定時間経過すればステップＳ１０に戻って再びチャンネルスキャンを実行する。ステップＳ１０〜Ｓ１２の動作を繰り返すことにより、所定時間間隔でＮＴＳＣ放送のチャンネルスキャンを行うことになる。ここでの所定時間は例えば２４時間とすることができ、その場合、２４時間毎にチャンネルスキャンを繰り返してＮＴＳＣ放送の有無を監視することになる。
【００３４】
一方、ステップＳ１３では、ＮＴＳＣ放送が停波した可能性があると判断し、ＮＴＳＣ放送に関わる機能を無効化する。ＮＴＳＣ放送に関わる機能とは、ＮＴＳＣ放送チャンネルの受信機能やＮＴＳＣ放送チャンネルの録画機能やＮＴＳＣ放送の電子番組情報表示機能がある。
【００３５】
これらの機能を無効化した場合は、選局時にＮＴＳＣ放送チャンネルをスキップさせることが望ましい。これにより、リモコン４０のアップダウンキーを操作して受信するチャンネルを順に切り替えたり録画予約するチャンネルを切り替えたりする場合に、ＮＴＳＣ放送チャンネルがスキップされてＡＴＳＣ放送チャンネルのみが順に切り替わる。したがって、視聴時にＮＴＳＣ放送チャンネルを飛ばすためにアップダウンキーを何度も押す必要がなく、また映らないチャンネルを録画予約してしまうこともなくなり、使い勝手が向上する。
【００３６】
またこれらの機能を無効化した場合は、選局時にＮＴＳＣ放送チャンネルが選局された際や録画予約するチャンネルとしてＮＴＳＣ放送チャンネルが選択された際には、モニタ１９にＮＴＳＣ放送が受信できない旨のメッセージを表示するようにしてもよい。そうすれば、映らないチャンネルを録画予約してしまうこともなくなり、使い勝手が向上する。
【００３７】
次にステップＳ１３からステップＳ１４へ進んで、所定時間（第２の所定時間）経過したか否かを判定し、所定時間経過すればステップＳ１５へ進んでＮＴＳＣ放送のチャンネルスキャンを行う。ここでの所定時間はステップＳ１２の所定時間よりも短くし、例えば、１時間や６時間とすることが望ましい。ステップＳ１５のチャンネルスキャンを頻繁に行い、ＮＴＳＣ放送が確実に停波したかどうかを確かめるためである。装置の負担を考慮してできる限り所定時間を短くすることにより、ＮＴＳＣ放送が受信できるようになった場合に即座に対応することができる。
【００３８】
次にステップＳ１５からステップＳ１６へ進んでＮＴＳＣ放送が見つかったか否かを判定する。この判定はステップＳ１１と同様に行えばよい。そして、ステップＳ１６においてＮＴＳＣ放送が見つかった場合は、ステップＳ１７へ進み、見つからなかった場合はステップＳ１８へ進む。
【００３９】
ステップＳ１７では、ＮＴＳＣ放送は停波していなかったと判断し、ＮＴＳＣ放送に関わる機能を有効化する。ここで有効にする機能は、ステップＳ１３において無効にした機能である。ステップＳ１７でＮＴＳＣ放送の受信が可能となったので、その後ステップＳ１０へ戻り、ＮＴＳＣ放送が停波するまで上記の動作を繰り返す。このような動作により、放送事故等の理由で偶然ＮＴＳＣ放送が受信できずにＮＴＳＣ放送に関わる機能を無効化した場合でも、間違ってＮＴＳＣ放送の停波であると判断することなく、ＮＴＳＣ放送の復帰時にはＮＴＳＣ放送に関わる機能を有効化して受信することができる。
【００４０】
一方、ステップ１８では、ＮＴＳＣ放送が見つからなくなってから所定期間経過したか否かを判定する。ここでの所定期間は、放送事故等の理由で偶然ＮＴＳＣ放送が受信できなかった場合を考慮し、ＮＴＳＣ放送が確実に停波したと判断できる期間、例えば３日間とすることができる。
【００４１】
ステップＳ１８において所定期間経過していない場合は、ステップＳ１４へ戻り、ＮＴＳＣ放送のチャンネルスキャンを繰り返す。一方、ステップＳ１８において所定時間経過している場合は、ＮＴＳＣ放送が確実に停波したと判断して本動作を終了し、今後、ＮＴＳＣ放送のチャンネルスキャンは行わない。
【００４２】
図２のフローチャートにおいて、ステップＳ１３のＮＴＳＣ放送に関わる機能を無効化する処理は、図２に示した位置ではなくステップＳ１８の後に行うようにしてもよい。そうすれば、ＮＴＳＣ放送が確実に停波したことを確認してからＮＴＳＣ放送に関わる機能を無効化することができる。この場合、ステップＳ１７の処理は不要となる。
【００４３】
このように、ＤＶＤ一体型テレビ１０によれば、アナログ放送の停波後はアナログ放送に関わる機能を無効化し、アナログ放送の停波までは確実にアナログ放送に関わる機能を使うことができる。
【産業上の利用可能性】
【００４４】
本発明のデジタル／アナログ放送受信装置及びデジタル／アナログ放送録画再生装置は、ＤＶＤ一体型テレビのほか、テレビ受像機、ＤＶＤ装置、ＨＤＤ装置、ビデオ装置、それらの複合機などに利用することができる。
【図面の簡単な説明】
【００４５】
【図１】本発明のＤＶＤ一体型テレビの構成を示すブロック図である。
【図２】ＮＴＳＣ放送の停波に対応するための本発明のＤＶＤ一体型テレビの動作を示すフローチャートである。
【符号の説明】
【００４６】
１０    ＤＶＤ一体型テレビ
１２    チューナ
１６    ＤＶＤ録画再生部
【図１】
2008078705.tif 000003
【図２】
2008078705.tif 000004